(57)【要約】【課題】投入時の糸絡みを防止する等、使用性に優れかつ飛距離を大幅に向上する釣り用浮きを提供する。【解決手段】浮き本体１１の下部に固定錘１２を有する。固定錘１２に対して接近または離間するように、浮き本体１１内にスライド移動可能な移動錘１４を備える。移動錘１４がガイド孔１５内をスライド移動する。移動錘１４のスライド方向両端に突出する緩衝部材１８が付設される。移動錘１４が浮き１０の頭部側へ移動した姿勢で飛行し、高い姿勢安定性を確保できるため、仕掛けの絡み防止や飛距離等を大幅に向上する。【選択図】        図１
2005021109.tif 000002
【特許請求の範囲】
【請求項１】
浮き本体内にスライド移動可能に装着された移動錘を備えることを特徴とする釣り用浮き。
【請求項２】
前記浮き本体の中心部に前記移動錘の移動をガイドするガイド孔が開設され、前記移動錘が前記ガイド孔内をスライド移動することを特徴とする請求項１に記載の釣り用浮き。
【請求項３】
前記移動錘のスライド方向両端に突出する緩衝部材が付設されたことを特徴とする請求項１または２に記載の釣り用浮き。
【請求項４】
着水後は、自然自立を行なうことができるように、前記浮き本体の下部に固定錘を付加したことを特徴とする請求項１〜３にいずれか１項に記載の釣り用浮き。
【請求項５】
前記移動錘は、前記浮き本体の上下方向にスライド移動し、前記浮き本体の浮力調節に関与するように重量バランスされていることを特徴とする請求項１〜４にいずれか１項に記載の釣り用浮き。
【発明の詳細な説明】
【０００１】
【発明の属する技術分野】
本発明は、海釣り等で使用する釣り用浮きに係り、特に環付き浮きに関するものである。
【０００２】
【従来の技術】
この種の釣りにおいて、浮き本体の下部に小さな環が付設された所謂、環付き浮きが使用され、その環に釣り糸を挿通するようになっている。図６は、従来の環付き浮きの例を示している。この環付き浮き１００は、浮き本体１０１の下部に錘１０２が固定され、錘１０２の下部には環１０３が付設される。
【０００３】
浮きの実使用に際して、環１０３に釣り糸を通し、釣り竿を振った勢いで環付き浮き１００を目標ポイントに投入する。キャスティング時における浮きの空中での飛行挙動、特に飛行中の姿勢安定性は極めて重要であるが、この姿勢安定性は浮きを前進させようとする錘１０２の慣性力、釣り糸を介して環１０３に加わる前進抵抗力、飛行中の浮きに作用する空気抵抗力（風）等の幾つかのファクターによって決定される。これまでの技術ではただ単に浮きの下部に錘を配設しただけであるため、飛びが不安定となって推進力が小さくなり、沖のポイントを攻められない等の問題があった。
【０００４】
【発明が解決しようとする課題】
ところで、従来の環付き浮きにおいて、上述した環付き浮き１００の例のように浮き本体１０１の下部あるいは下部乃至中央部にかけての１箇所に固定された錘１０２を持ち、錘１０２の至近位置に環１０３が配置される。このような配置構成では環１０３に加わる逆進行方向の力点位置と、錘１０２の重心、浮き１００全体の慣性力のほぼ中心の力点位置とが近いため、空気抵抗に逆らって進行する際に頭部に加わる抵抗力にはテコの原理が働くことになる。そのため姿勢安定性を確保するのが難しく、飛行途中で仕掛けがフラツキ易くなり、仕掛けが絡まり合う原因となっていた。さらに、飛行姿勢が崩れ易いことから、キャスティングによる飛距離がでないのが実情であった。
【０００５】
本発明はかかる実情に鑑み、構成が比較的簡素であり、かつ使用性に優れ飛距離等を大幅に向上する釣り用浮きを提供することを目的とする。
【０００６】
【課題を解決するための手段】
本発明の釣り用浮きは、浮き本体内にスライド移動可能に装着された移動錘を備えることを特徴とする。
【０００７】
また、本発明の釣り用浮きにおいて、前記浮き本体の中心部に前記移動錘の移動をガイドするガイド孔が開設され、前記移動錘が前記ガイド孔内をスムーズにスライド移動することを特徴とする。
【０００８】
また、本発明の釣り用浮きにおいて、前記移動錘のスライド方向両端に突出する緩衝部材が付設されたことを特徴とする。
【０００９】
また、本発明の釣り用浮きにおいて、その着水後、自然自立を行なうことができるように、前記浮き本体の下部に固定錘を付加したことを特徴とする。
【００１０】
また、本発明の釣り用浮きにおいて、前記移動錘は、前記浮き本体の上下方向にスライド移動し、前記浮き本体の浮力調節に関与するように重量バランスされていることを特徴とする。
【００１１】
本発明によれば、その典型的態様において浮き本体の中心部に移動錘の移動をガイドするガイド孔が開設され、浮力とバランスが調節された移動錘がガイド孔内をスムースにスライド移動する。また、浮き本体の下部に浮力調整と姿勢復元機能を備えた固定錘を有する。
【００１２】
キャスティングの際には、移動錘が浮きの頭部側へ移動し、環に加わる逆進行方向の力点と、浮き全体の慣性力の中心が浮き全長の少なくとも半分以上に離れるため、その姿勢保持力が大きくなり、安定した姿勢で飛行することができる。これにより空気抵抗が小さくなって飛距離等を大幅に向上することが可能になり、着水後は下部の固定錘により自動的に環部が水中に落ち付くことで、ブラツキや仕掛けの絡みを解消することができる。このように飛び性能と復元力を確保した構造が実現される。
【００１３】
【発明の実施の形態】
以下、図面に基づき、本発明による釣り用浮きの好適な実施の形態を説明する。
図１は、本発明の実施形態における環付き浮きの構成例を示している。図１において、環付き浮き１０は、浮き本体１１の下部に固定の錘１２が固定され、錘１２の下部には環１３が付設される。
【００１４】
浮き１０の具体的構成例において、浮き本体１１は図１に示した例のように浮き本体１１の代表的な形状として、たとえば変形卵型に形成される。なお、この形態に限らず、ボール型等をはじめ図２の例のようなフィギアパターンを採用可能である。
【００１５】
本発明の浮き１０では特に、固定の錘１２に対して接近または離間するように、浮き本体１１内にスライド移動可能に装着された移動錘１４を備えている。移動錘１４は比重の大きな金属材料等を用いて、円筒状に形成される。移動錘１４の重量は、錘１２よりも相対的に重いものであってよい。浮き本体１１の中心部には移動錘１４の移動をガイドするガイド孔１５が開設され、移動錘１４がガイド孔１５内をスムースにスライド移動する機能を備えている。
【００１６】
ガイド孔１５の内周面には移動錘１４がスライド移動する際、円滑作動するように摩擦抵抗を小さくするコーティング等を施してもよい。また、必要に応じてガイド孔１５にぴったりと嵌着するスリーブ１６を嵌め込んでもよい。ガイド孔１５の開口端にはキャップ１７が蓋着し、移動錘１４が飛び抜けるのを防ぐとともに、ガイド孔１５への水の浸入を防止する。
【００１７】
また、移動錘１４には、そのスライド方向両端に適量だけ突出する緩衝部材１８が付設される。緩衝部材１８の両端部は、ガイド孔１５の底部およびキャップ１７の内側にそれぞれ当接するようになっている。緩衝部材１８の貫通内孔を介して移動錘１４の両側間の空気が流通するため、移動錘１４はガイド孔１５内部の内圧による抵抗を受けることなく、円滑にスライド移動することができる。
【００１８】
ここで、図３は本発明の実施形態における環付き浮き１０を適用した仕掛け１の例を示している。この釣り用仕掛け１において、道糸（釣り糸）２に浮き止め糸３を結び、順次シモリ玉４、環付き浮き１０、所謂からまん棒５を取り付け、道糸２の先端にハリス６が連結される。ハリス６の先端に釣り針７を有するとともに、その途中適所に所謂ガン玉（錘）８が取り付けられる。
【００１９】
上記構成において、キャスティングの際、釣り竿を持ち上げた時に環付き浮き１０が道糸２から垂下され、このとき移動錘１４はキャップ１７側へ移動する。この状態で釣り竿を振ってキャスティングすると、遠心力によってキャップ１７側へ移動したままの状態を保持しながら、そしてその際に道糸２により環１３側が引っ張られることで、図４（ａ）に示すように浮き本体１１の中心軸が飛行進行方向Ａとほぼ一致する姿勢で飛行する。
【００２０】
ちなみに、従来の浮き（１００）では図５（ａ）に示すように環側より飛行するため姿勢安定性を確保するのが難しく、飛行途中で仕掛けがが絡まり合う等の問題がある。これに対して、本発明の環付き浮き１０では図５（ｂ）に示すように頭部より飛行することで、環１３を支点として仕掛けがＶ字となって飛行するため、絡みを防止できる。
【００２１】
これにより高い姿勢安定性を確保し、その姿勢により空気抵抗を減少させ、キャスティングの飛距離等を大幅に向上することができる。このようにキャスティング飛行時の安定性を確保することで、釣り用浮き１０の左右ブレなどのふらつきをなくし、仕掛け１の糸絡み等の発生を有効に抑制することができる。また、優れた姿勢安定性や空気抵抗の減少により、狙った目標ポイントへの投下精度を格段に向上させることが可能となった。
【００２２】
また、浮き本体１１の下部に固定の錘１２を持ち、着水後の釣り用浮き１０全体の重心バランスは、浮き本体１１の下部の固定錘１２寄りに設定されている。このため着水後は図４（ｂ）に示されるように浮力体が少なく沈み易い錘１２側が先に沈み、角度がつくため移動錘１４はガイド孔１５内を錘１２側へ自動的にスライド移動する。このように浮き本体１１に特別な外力等を加えることなく、環１３が下側にくるように着水後復元する機能を持ち合わせている。
図４（ｃ）は、移動錘１４が環１３側へ自動的にスライドし、落ち着いた状態を示している。
【００２３】
上記の場合、移動錘１４がガイド孔１５内で往復動するが、その際、緩衝部材１８の両端部がガイド孔１５の底部あるいはキャップ１７の内側に当接する。このように移動錘１４に緩衝部材１８を設けたことで、移動錘１４が移動しても異音等の発生を効果的に抑制する消音効果があるため、魚が警戒しないようにすることができる。
【００２４】
なお、本発明の好適な実施形態を説明したが、本発明は上述した実施形態にのみ限定されるものではなく、必要に応じて適宜変更、設定可能であり、上記実施形態と同様な作用効果を得ることができる。
たとえば、移動錘１４あるいはガイド孔１５等の形状は、円筒状の場合の他、角柱等を適宜採用可能である。また、環付き浮き１０の各構成部材の材質等は、必要に応じて適宜変更可能である。
【００２５】
【発明の効果】
以上説明したように本発明によれば、キャスティングの際、移動錘が浮きの頭部側へ移動した姿勢で飛行し、高い姿勢安定性を確保することで飛行中のブレやフラツキがなくなり、飛距離等を大幅に向上することが可能になる。その他、仕掛け絡みを防止することで無駄をなくし、キャスティングの回数も増やせる上、移動錘の接触音によって魚を驚かさないように上下に緩衝部材を取り付け、その結果、高い釣果を期待することができる等の利点を有している。
【図面の簡単な説明】
【図１】本発明の実施形態における釣り用浮きの構成例を示す断面図である。
【図２】本発明の実施形態における釣り用浮きのフィギアパターン例を示す図である。
【図３】本発明の実施形態における釣り用浮きを適用した仕掛けの例を示す斜視図である。
【図４】本発明の実施形態における釣り用浮きの作用を示す図である。
【図５】本発明の浮きと従来構造の浮きの飛行姿勢を比較して示す図である。
【図６】従来の釣り用浮きの例を示す断面図である。
【符号の説明】
１０    釣り用浮き
１１    浮き本体
１２    固定錘
１３    環
１４    移動錘
１５    ガイド孔
１７    キャップ
１８    緩衝部材
【図１】
2005021109.tif 000003
【図２】
2005021109.tif 000004
【図３】
2005021109.tif 000005
【図４】
2005021109.tif 000006
【図５】
2005021109.tif 000007
【図６】
2005021109.tif 000008